(57)【特許請求の範囲】
【請求項１】
遊技用媒介物を用いて遊技する遊技機の前面下部に設けられ、前記遊技用媒介物を受ける内部空間を有する遊技機用受皿であって、
遊技用媒介物を収容する第１の空間と、
その第１の空間に隣設された第２の空間と、
前記第１の空間及び前記第２の空間を隔成する隔成手段とを備え、
前記隔成手段は、遊技機用受皿の内部空間を前記第１の空間及び前記第２の空間を隔成させる第１の状態と、前記第１の空間及び前記第２の空間を連通させる第２の状態と、に可変し、
前記第２の空間は、容器を保持するホルダの出し入れが自在なホルダ収納部を具備し、そのホルダ収納部に収納しておいた前記ホルダを前記ホルダ収納部から出すと、前記第２の空間が容器の占有空間である容器占有空間部となり、
前記ホルダ収納部は、前記容器占有空間部を画成する壁部の何れかに形成され、
前記ホルダは、前記ホルダ収納部が形成された壁部に一端で枢支され、
この枢支された一端を回動中心として他端が当該壁部側に付勢されると、前記ホルダ収納部に収納され、
前記ホルダの前面に対向した壁部には、前記ホルダの幅と同等の大きさを有する切り欠き部が設けられていることを特徴とする遊技機用受皿。
【請求項２】
前記隔成手段は、前記ホルダの方向に摺動したとき、前記切り欠き部を閉塞することを特徴とする請求項１に記載の遊技機用受皿。
【請求項３】
前記内部空間は、遊技機用受皿の底面部と、前面壁と、背面壁と、側壁とにより構成される空間であって、
前記隔成手段が、この内部空間を前記底面部及び前記各壁に摺動しながら所定の箇所に到達することで、前記第１の空間と前記第２の空間とが隔成されることを特徴とする請求項１又は２に記載の遊技機用受皿。
【発明の詳細な説明】
【０００１】
【発明の属する技術分野】
本発明は、遊技機における受皿に関する。
【０００２】
【従来の技術】
最近のパチンコやスロットマシン等の遊技機には、遊技者が飲み物を飲みながらを遊技を楽しむことができるように、遊技機用のホルダが設けられている。
【０００３】
大抵、ホルダは、遊技に使用する遊技球や遊技用コインなどを受け入れる受皿の近傍に設け、かつ遊技機前面から突出させて使用に供される。また、受皿は遊技機前面下部に位置している。
【０００４】
【発明が解決しようとする課題】
しかし、ホルダを設けたことにより、その分受皿が小さくなり、遊技球や遊技用コイン等の  ここで前記ホルダ１１の説明を行う。尚、本明細書中におけるホルダ１１は前記ホルダ収納部１２に収納される収納式のホルダであるとする。収容量が減ってしまうという問題が生じた。
【０００５】
また、最近の遊技機には、現金や専用のプリペイドカードにより遊技球や遊技用コインを受皿に直接貸し出す貸出装置が設けられている。この貸出装置は、遊技球や遊技用コインを貯留する貯留部を備え、この貯留部と受皿とをつなぐ通路を有している。そのため、現金やプリペードカードのポイントと引き替えに貸し出される遊技球や遊技用コインが前記貯留部から前記通路を経て前記受皿に払い出される。
【０００６】
しかし、ホルダを有することにより受皿の容積が小さくならないように、受皿の大きさを従来の受皿の大きさと同等にすると、前記通路をホルダの分延長しなくてはならない場合が生じた。そのため、貸出装置の製作には余分なコストがかかるため、貸出装置を購入するホール側の負担が大きくなってしまうという問題もあった。
【０００７】
そこで本発明は、かかる従来の問題点を解決するためになされたもので、その解決しようとする課題は、ホルダを有しても受皿の容積を十分確保させることにある。
【０００８】
また、本発明の解決しようとする他の課題は、ホール側にかかるコストを低減させることにある。
【０００９】
【課題を解決するための手段】
本発明遊技機用受皿は、前記課題を解決するために、以下の手段を採用した。すなわち本発明遊技機用受皿は、遊技用媒介物を用いて遊技する遊技機の前面下部に設けられ、前記遊技用媒介物を受ける内部空間を有する遊技機用受皿であって、遊技用媒介物を収容する第１の空間と、その第１の空間に隣設された第２の空間と、前記第１の空間及び前記第２の空間を隔成する隔成手段とを備え、前記隔成手段は、遊技機用受皿の内部空間を前記第１の空間及び前記第２の空間を隔成させる第１の状態と、前記第１の空間及び前記第２の空間を連通させる第２の状態と、に可変し、前記第２の空間は、容器を保持するホルダの出し入れが自在なホルダ収納部を具備し、そのホルダ収納部に収納しておいた前記ホルダを前記ホルダ収納部）から出すと、前記第２の空間が容器の占有空間である容器占有空間部となり、前記ホルダ収納部は、前記容器占有空間部を画成する壁部の何れかに形成され、前記ホルダは、前記ホルダ収納部が形成された壁部に一端で枢支され、この枢支された一端を回動中心として他端が当該壁部側に付勢されると、前記ホルダ収納部に収納され、前記ホルダの前面に対向した壁部には、前記ホルダの幅と同等の大きさを有する切り欠き部が設けられていることを特徴とする。
【００１２】
前記隔成手段により、前記第１の空間と前記第２の空間とが隔成された前記第１の状態とすると、前記第１の空間には遊技媒介物を収容でき、前記第２の空間には遊技媒介物以外のものを収容することができる。つまり、隔成手段によって第１の空間と第２の空間の役割を明確に分けることができるようになる。
【００１３】
また、前記隔成手段により、第１の空間と第２の空間とを連通させた前記第２の状態とすると、第１の空間と第２の空間を共有することができる。すなわち、第１の空間に収容される遊技媒介物を第２の空間にも収容することができるようになる。
【００１４】
すなわち、本発明の遊技機用受皿における前記隔成手段によって、遊技機用受皿を有効に利用することが可能となる。
【００１６】
前記隔成手段が前記第２の空間側に摺動するに伴って、第１の空間は拡大される。そのことにより、第１の空間にたくさんの遊技用媒介物を収容することができる。尚、本発明における遊技機には、例えば、弾球を用いて遊技を行うパチンコ機や、遊技用コインを用いて遊技を行うスロットマシン等が挙げられる。
【００１７】
また、本発明遊技機用受皿における前記第１の空間部の隣には、自在に収納できる飲食用容器を保持するホルダが設けられている。
【００１８】
つまり、遊技者は飲み物を飲んだり食べ物を食べたりしながら、遊技を行うことができる。これによって、遊技者は気分転換を行うことができるため遊技を継続的に行うことができる。
【００１９】
また、前記第２の空間に設けられているものは、飲食用容器を保持するホルダ以外のものであっても良い。例えば、灰皿、携帯電話を保持する携帯ホルダ、小物を置く台等が挙げられる。第２の空間に設けられるこれらのものは、何れも収納自在であることが望ましい。
【００２１】
前記ホルダは本発明の遊技機用受皿内部であれば、何れの場所に収納されても良い。例えば、前記ホルダは、遊技機側に位置する壁部に収納されても良いし、前記遊技機用受皿の側壁側に位置する壁部に収納されても良い。また、前記ホルダは、前記隔成手段に収納されても良いものとする。
【００２４】
切り欠き部が設けられているため、前記ホルダに飲み物の入った容器等を保持させるとき、その容器をスムーズに保持させることができる。また、ホルダに保持された容器をホルダから脱着するときも、容器が壁部と接触することなく容易に脱着することができる。
【００２５】
さらに、前記隔成手段が前記ホルダの方向に摺動したとき、前記切り欠き部は、隔成手段により閉塞される。
【００２６】
このことにより、元は第２の空間であった空間に遊技用媒介物が収容されても、遊技用媒介物が前記切り欠き部から零れることなく確実に収容することができる。尚、前記隔成手段の形状は切り欠き部を閉塞するような構成であればどのような形状であってもよい。
前記内部空間は、遊技機用受皿の底面部と、前面壁と、背面壁と、側壁とにより構成される空間であって、前記隔成手段が、この内部空間を前記底面部及び前記各壁に摺動しながら所定の箇所に到達することで、前記第１の空間と前記第２の空間とが隔成されるようにしてもよい。
【００２７】
【発明の実施の形態】
以下、図面を参照し、本発明の遊技機用受皿について説明する。尚、本説明中における遊技機はスロットマシンとして説明を行うため、遊技媒介物を遊技用コインとし、それに伴い、遊技用媒介物を受け入れる遊技機用受皿をコイン受皿として説明を行う。
【００２８】
＜第１の実施形態＞
図１〜５に示すように本発明のコイン受皿１は、払い出された遊技用コインを受けるための受皿であって遊技用コインを用いて遊技を行う遊技機４７の前面下部に設けられている。そして、本発明のコイン受皿１は、遊技用コインを収容する第１の空間２と、その第１の空間２に隣設された第２の空間３と、第１の空間２及び第２の空間３を隔成する隔成部材４とを備える。
【００２９】
また、この隔成部材４は、第１の空間２と第２の空間３とを隔成する第１の状態５４と、第１の空間２と第２の空間３とを連通させる第２の状態５５とに可変する。
【００３０】
さらに、本明細書中における隔成部材（隔成手段）４は、第１の空間２側から第２の空間３側へ摺動可能とする。尚、本発明のコイン受皿１は上部に開口を有しており、その開口は遊技者側に下向傾斜しているものとする。このことにより、遊技者は、コイン受皿１内に遊技用コインを入れやすくなる。さらに、コイン受皿１の開口面積を広く確保することができるため、前記第１の空間２及び前記第２の空間３を広くすることもできるようになる。
【００３１】
前記第１の空間２は、図１に示すように、遊技機４７前面から突出する方向に設けられた底面部５と、この底面部５から立設し遊技機４７前面に対向して設けられた前面壁６と、底面部５から立設し前記前面壁６に対向して設けられた背面壁７と、底面部５から立設し前面壁６の両端と背面壁７の端部を連結する側壁８ａと、隔成部材４とにより構成されるコイン収容部９である。尚、前記背面壁７には遊技機４７本体から遊技用コインが払い出されるときのコイン払出口１０が設けられている。
【００３２】
また前記第２の空間３は、前記隔成部材４を境とし前記底面部５と前記前面壁６と前記背面壁７と前記側壁８ｂとにより形成されている。そして、背面壁７には、ジュース等の飲み物やポップコーン等の食べ物を入れる容器やたばこの灰や吸い殻を入れる容器を保持するホルダ１１を収納可能とする凹部１２が設けられている。尚、この凹部１２はホルダ１１を収納するため、以下ホルダ収納部１２と称す。
【００３３】
また、第２の空間３は、前記ホルダ収納部１２に収納しておいたホルダ１１をホルダ収納部１２から出すと、容器の占有空間である容器占有空間部１３となる。尚、本明細書中におけるホルダ収納部１２は、背面壁７に設けられているが、背面壁７のみならず容器占有空間部１３を画成する前記前面壁６、前記底面部５、前記側壁８ａ、前記側壁８ｂ、前記隔成部材４の容器占有空間部１３側の側壁の何れかに設けられていればよい。
【００３４】
さらに、前記ホルダ１１前面に対向した前面壁６には、ホルダ１１の幅とほぼ同等の大きさを有する切り欠き部１４が設けられている。この切り欠き部１４があることにより、容器をホルダ１１からスムーズに出し入れすることができる。
【００３５】
ここで前記ホルダ１１の説明を行う。尚、本明細書中におけるホルダ１１は前記ホルダ収納部１２に収納される収納式のホルダであるとする。この収納式のホルダ１１は、図２に示すように、その一端が前記ホルダ収納部１２を形成する前記背面壁７に枢支されている。一方、他端は、枢支された前記一端を回動中心として前記背面壁７側に付勢されている。そして、ホルダ１１は前記背面壁７に枢支された一端を回動の中心として回動を行う。回動することにより、前記ホルダ１１は背面壁７に設けられたホルダ収納部１２内に収納される。
【００３６】
さらに詳細に説明すると、前記ホルダ１１は、図６に示すように、容器を挟持するアーム１５ａ、アーム１５ｂと、これらアーム１５ａ、アーム１５ｂを支えるホルダベース１６と、図１に示す前記遊技機４７前面に設けられアーム１５ａ、アーム１５ｂ及びホルダベース１６を収納するホルダ収納部１２と、このホルダ収納部１２内にアーム１５ａ、アーム１５ｂを備えたホルダベース１６を係止する係止手段１７と、係止手段１７によりホルダベース１６をホルダ収納部１２内へ係止した時に、ホルダ収納部１２内に収納されたホルダベース１６がホルダ収納部１２外へ飛び出す方向（図２中における矢印Ｋ方向）にホルダベース１６を付勢する付勢手段１８とを備える。
【００３７】
前記ホルダベース１６は、端部４８ａ、端部４８ｂが同一方向に折り曲げられたコ字型のブラケット１９と、このブラケット１９の中央近傍に設けられブラケット１９の端部４８ａ、端部４８ｂの根元に設けられた軸受け部２０ａ、軸受け部２０ｂと、この複数の軸受け部２０及び端部４８を貫通して連結する連結ピン２１と、この連結ピン２１ａ、連結ピン２１ｂを介してブラケット１９に連結するベース本体２３とからなる。
【００３８】
また、前記ベース本体２３は、容器を挟持する一対のアーム１５ａ、アーム１５ｂ各々を保持する一対のアーム保持部３４ａ、アーム保持部３４ｂと、この一対のアーム保持部３４ａ、アーム保持部３４ｂの一端を連結する連結部３５とからなるコ字型の部材である。そして、連結部３５の中心には、ベース本体２３をブラケット１９に連結する連結ピン２１ａ、連結ピン２１ｂと係合する連結ピン受容部２２ａ、連結ピン２２ｂが設けられている。
【００３９】
ここで、ブラケット１９とベース本体２３とは、その連結ピン２１ａ、連結ピン２１ｂを回動軸として回動自在に設けられている。そして、ブラケット１９は前記ホルダ収納部１２内に複数のネジを用いて強固に固定される。ネジ止めするに際して前記ブラケット１９は、ベース本体２３が上下方向に回動可能となるように固定される。
【００４０】
また、ベース本体２３に設けられる軸受け部２０ａ、軸受け部２０ｂには、ベース本体２３の回動を円滑にする図示しない軸受けダンパが設けられている。尚、図５に示すように、ホルダベース１６の可動範囲は、ベース本体２３の後端面が前記ブラケット１９に接触することにより規制されている。
【００４１】
さらに、ブラケット１９とベース本体２３との間には、ホルダ収納部１２内へブラケット１９を固定する時にベース本体２３がホルダ収納部１２内から外方へ飛び出す方向（図２中矢印Ｋ方向）にベース本体２３を付勢する付勢手段１８が設けられている。尚、本明細書中では、この付勢手段１８をねじりコイルバネ２４であるとする。
【００４２】
また、ベース本体２３とホルダ収納部１２には、相互に関係しあう位置に係止手段１７が設けられている。ここでの係止手段１７として、プッシュ・プッシュ型のラッチ装置を挙げることができる。ラッチ装置とは、図７に示すように受容側となる部材Ａに対して挿入側となる部材Ｂを押しつけることによりロックされると共に、再度、受容側となる部材Ａに対して挿入側となる部材Ｂを押しつけた時に、そのロックが解除されるロック手段を有する係止装置のことをいう。
【００４３】
ここで、図６〜図８を参照し詳細にラッチ装置２５の説明を行う。ラッチ装置２５は、図８に示すように、開口２７を有する中空なケース２６と、このケース２６内に保持され、ケース２６の開口２７から出入りすると共に、挿入側に固定されたストライカ２８と係合するラッチ本体２９と、このラッチ本体２９をケース２６の開口２７から突出させる方向に付勢する圧縮バネ３０と、この圧縮バネ３０のバネ復元力に抗してラッチ本体２９をケース２６内のロック位置にロックすると共に、前記ロック位置からさらにラッチ本体２９がケース２６内の解除位置に押し込まれた際、前記圧縮バネ３０のバネ復元力に抗して前記ロック状態が解除されるロック装置３１とを備える。
【００４４】
さらに、前記ロック装置３１は、ラッチ本体２９に形成されたハート形のカム溝３２と、このカム溝３２の底をトレースするロックレバー３３とを有する。尚、本説明中では図７に示す前記受容側となる部材Ａをラッチ本体２９とし、前記挿入側となる部材Ｂをストライカ２８とする。
【００４５】
このような構成を備えるラッチ装置２５は、図７に示すように挿入側となるストライカ２８を受容側となるホルダ収納部１２に設けられたラッチ本体２９側へ押すことによりロックされる。さらに、再度挿入側となるストライカ２８を、受容側となるホルダ収納部１２側に押すとロックが解除される。尚、係止手段１７としては、このラッチ装置２５のみならず、磁石等を双方に設け、その磁石力にて係止するような構造等、図１に示すホルダ１１が係止される構造であれば何れの構造であっても良い。
【００４６】
そして、図６に示すように前記アーム１５ａ、前記アーム１５ｂ各々を保持する一対のアーム保持部３４（３４ａ、３４ｂ）それぞれには、アーム１５ａ、アーム１５ｂとホルダベース１６とを固定するアーム固定ピン３６ａ、アーム固定ピン３６ｂを介してアーム１５ａ、アーム１５ｂが回動自在に設けられている。尚、アーム保持部３４ａ、アーム保持部３４ｂは、それら自身の厚みにアーム１５ａ、アーム１５ｂの厚みに応じた凹部３７ａ、凹部３７ｂを形成している。そして、アーム１５ａ、アーム１５ｂを前記凹部３７ａ、凹部３７ｂ内方に挿入した後、ベース本体２３の上方よりアーム固定ピン３６ａ、アーム固定ピン３６ｂにてアーム１５ａ、アーム１５ｂを固定する。
【００４７】
さらに、アーム１５ａ、アーム１５ｂとアーム保持部３４ａ、アーム保持部３４ｂとを連結するアーム固定ピン３６ａ、アーム固定ピン３６ｂの外周にはコイルバネ４９ａ、コイルバネ４９ｂが設けられており、アーム保持部３４ａ、アーム保持部３４ｂに保持されるアーム１５ａ、アーム１５ｂは互いに向き合う方向に付勢されている。
【００４８】
また、前記アーム１５ａ、前記アーム１５ｂは、その一端に前記アーム固定ピン３６ａ、前記アーム固定ピン３６ｂが挿通される固定用孔３８ａ、固定用孔３８ｂと、他端に容器の受け入れをスムーズにする傾斜面３９ａ、傾斜斜面３９ｂとが形成されている。そして、対向するアーム１５ａ、アーム１５ｂ間には、容器の保持空間が形成される。また、固定用孔３８ａ、固定用孔３８ｂに近接したアーム１５ａ、アーム１５ｂの付け根には、前記アーム保持部３４ａ、前記アーム保持部３４ｂの内壁面に接触するアーム１５ａ、アーム１５ｂの可動範囲を所定の範囲内に規制する規制部５０ａ、規制部５０ｂが設けられている。尚、ここで所定の範囲とは、一般的に市販されている１５０ｍｌ〜５００ｍｌ程度の容積を有する缶を前記一対のアーム１５ａ、アーム１５ｂで容易に挟持することができる程度の可動範囲とするのが望ましい。
【００４９】
以上のような構成により前記ホルダ１１は、前記ホルダ収納部１２内に収納自在となっている。すなわち、ホルダ１１がホルダ収納部１２内に収納されロックされている時のねじりコイルバネ２４は、前記ブラケット１９と前記ホルダ収納部１２とにより圧縮された状態となっている。そして、ロックを解除すると、ねじりコイルバネ２４の弾性力により、圧縮されていたねじりコイルバネ２４が元の状態に復帰する。それに伴い、ねじりコイルバネ２４が取り付けられているホルダベース１６も、ホルダ収納部１２内部からホルダ収納部１２外部へ移動する。このとき、前記軸受け部２０ａ、前記軸受け部２０ｂに設けられた図示しない軸受けダンパの減衰作用により、ホルダベース１６は滑らかに移動する。
【００５０】
さらに、図５に示すように、前記ホルダ１１を使用しないとき、すなわち前記ホルダベース１６が前記ホルダ収納部１２に収納されているとき、ホルダ収納部１２の内壁とアーム１５（１５ａ、１５ｂ）との間に形成される空間を埋めるスペーサ４０が設けられている。このスペーサ４０は、アーム１５の先端又は下面側に設けられ、前記ホルダ収納部１２側へ延出された矩形状に形成されている。前記スペーサ４０があることにより、ホルダ１１が前記ホルダ収納部１２内に収納されたとき、ホルダ１１の上面と前記背面壁７とが面一となる。
【００５１】
また、前記スペーサ４０があることにより、前記ホルダ収納部１２と前記アーム１５との間に形成される空間に手指等を入れ、アーム１５を無理矢理引き出そうとする誤った操作を未然に防ぐことができる。それに伴って、前述したような不適切な操作によるホルダ１１の破損も防止することができる。
【００５２】
このような構成により、前記ホルダ１１を使用する時は、前記係止手段１７を用いて前記アーム１５を備えた前記ホルダベース１６を前記ホルダ収納部１２内にロックさせる。一方、ホルダ１１を使用する時は、前記係止手段１７のロックを解除し、ホルダ収納部１２に対してホルダベース１６を立ち上げ、容器を保持可能な状態にする。
【００５３】
そして、上述したコイン収容部９とホルダ１１は、図１に示すように前記隔成部材４により各々の空間が隔成されている。
【００５４】
そこで、隔成部材４について説明する。隔成部材４は、複数の面部を有する断面コ字状の部材である。さらに詳細に説明すると、隔成部材４は、図９に示すように、第１面板４１と、第１面板４１の両端から各々同一方向に延びるように設けられた第２面板４２及び第３面板４３とからなる。
【００５５】
また、隔成部材４は、図１に示す前記コイン受皿１及び前記コイン収容部９の内部形状に合わせ、隔成部材４がコイン受皿１に収まるような形状である。
【００５６】
このような構成の隔成部材４が、図３、４に示すように前記コイン収容部９側から図１に示す前記ホルダ１１側へ摺動すると、図１に示す前記容器占有部１３のスペースがなくなる。そのため、コイン収容部９のスペースが拡大される。
【００５７】
また、図９に示す隔成部材４以外にも、図１０、及び図１１に示す隔成部材５１、５２であってもよい。図１０に示す隔成部材５１は、図９に示す隔成部材４に第４面板４４を設けたものである。この第４面板４４は、コイン収容部９の底面部５に当接する位置に設けられる。この第４面板４４を設けたことにより、前記隔成部材５１がコイン収容部９側からホルダ１１側へ摺動するときにスムーズに、かつ安定した摺動を行うことができる。
【００５８】
さらに、図１１に示す隔成部材５２は、前述した図９に示す隔成部材４の第１面板４１の側面に、図１に示すホルダ１１のブラケット１９と係合するための係合部５３を設けても良い。このことにより、前記隔成部材５２の固定力を確保することができる。
【００５９】
次に、本実施の形態中におけるコイン受皿１の使用状態を図面に基づき説明する。図１、２は、ホルダ１１を使用する場合におけるコイン受皿１の状態を示した図である。この状態は、第１の空間２と第２の空間３とが隔成された第１の状態５４である。このとき、前記隔成部材４は、前記コイン払出口１０を前記第３面板４３によって塞ぐことのない位置に配設されている。
【００６０】
そのときのホルダ１１は、図２に示すようにホルダ収納部１２の外に出ている状態となっている。ホルダ１１に飲食用容器を保持させるには、図１に示す前記アーム１５ａ、前記アーム１５ｂの前方から、両アーム１５（１５ａ、１５ｂ）を外方へと押し広げるように容器を進入させる。すると、アーム１５ａ、アーム１５ｂが互いに向き合う方向に付勢する前記コイルバネ４９ａ、前記コイルバネ４９ｂの弾性力により、前記アーム１５ａ、前記アーム１５ｂの端面にて容器を挟み保持することができる。
【００６１】
このようにして遊技者は、飲料水を飲んだり食べ物を食べたり等、リラックスしながら遊技を行うことができる。
【００６２】
また図３、４は、図１、２に示す前記ホルダ１１を前記ホルダ収納部１２内に収納し、その後に前記隔成部材４をホルダ１１側に摺動させた状態を示す図である。この状態は、第１の空間２と第２の空間３とを連通させた第２の状態５５である。
【００６３】
このように、前記隔成部材４が移動することにより図１に示す前記容器占有空間部１３もコイン収容部９のスペースとなる。そのため、遊技用コインをよりたくさん収容することができる。すなわち、隔成部材４を前記ホルダ１１側へ移動させることにより、コイン収容部９のスペースが拡大されたということになる。
【００６４】
さらにこのとき、隔成部材４の第２面板４２により、ホルダ１１前面と対向した位置に設けられた切り欠き部１４が塞がれる。
【００６５】
このことにより、コイン収容部９のスペースが拡大され切り欠き部１４に面する場所まで遊技用コインが収容されても、遊技用コインは切り欠き部１４から落ちることがなくなる。
【００６６】
さらに、本発明は上述したコイン受皿１に固執することなく、通常のコイン受皿１に以下のような構造を備えたものとしてもよい。その構造とは、図１に示すようにコインを受ける空間部を有するコイン収容部９と、そのコイン収容部９に隣設する別の空間部及び飲食用容器を保持するホルダ１１の出し入れが自在なホルダ収納部１２を備え、そのホルダ収納部１２からホルダ１１を当該別の空間部に出すと、この空間部が飲食用容器の占有空間となる容器占有空間部１３と、この容器占有空間部１３及びコイン収容部９を隔成し、かつホルダ収納部１２へホルダ１１を収納した状態で容器占有空間部１３側に摺動可能な隔成部材４とからなる。
【００６７】
＜第２の実施形態＞
また、第２の実施形態として、図１２及び図１３に示すように着脱自在な灰皿４５を設け、その灰皿４５を図１２中Ｐ方向へ移動させ取り外したときに、隔成部材４が、灰皿４５側（図１２中矢印Ｎ方向）へ摺動するような構成としても良い。尚、本実施の形態では、説明の便宜を図るため前述した第１の実施形態と重複する説明を省略する。
【００６８】
【発明の効果】
以上のように本発明によれば、ホルダを有しても受皿の容積を十分確保させる遊技機用受皿を提供することができる。
【００６９】
また、本発明によれば、ホール側にかかるコストを低減させる遊技機用受皿を提供することができる。
【図面の簡単な説明】
【図１】  第１の実施形態に係る遊技機用受皿の通常使用状態における斜視図を示す。
【図２】  第１の実施形態に係る遊技機用受皿の通常使用状態における一部断面図を示す。
【図３】  第１の実施形態に係る遊技機用受皿の有する隔成部材がホルダ側へ摺動した後の状態における斜視図を示す。
【図４】  第１の実施形態に係る遊技機用受皿の有する隔成部材がホルダ側へ摺動した後における一部断面図を示す。
【図５】  第１の実施形態に係る遊技機用受皿の側面図を示す。
【図６】  第１の実施形態に係るホルダの上面図を示す。
【図７】  ラッチ装置のロック工程を示す。
【図８】  ラッチ装置の一部断面図を示す。
【図９】  第１の実施形態に係る隔成部材の斜視図を示す。
【図１０】  第１の実施形態に係る隔成部材の変形例の斜視図を示す。
【図１１】  第１の実施形態に係る隔成部材の変形例の斜視図を示す。
【図１２】  第２の実施形態に係る遊技機用受皿の通常使用状態における斜視図を示す。
【図１３】  第２の実施形態に係る遊技機用受皿の有する隔成部材がホルダ側へ摺動した後の状態における斜視図を示す。
【符号の説明】
１  遊技機用受皿（コイン受皿、遊技用媒介物受部）
２  第１の空間
３  第２の空間
４、５１、５２  隔成手段（隔成部材）
５  底面部
６  前面壁
７  背面壁
８  側壁
９  コイン収容部
１０  コイン払出口
１１  ホルダ
１２  凹部（ホルダ収納部）
１３  容器占有空間部
１４  切り欠き部
１５  アーム
１６  ホルダベース
１７  係止手段
１８  付勢手段
１９  ブラケット
２０  軸受け部
２１  連結ピン
２２  連結ピン受容部
２３  ベース本体
２４  ねじりコイルバネ
２５  ラッチ装置
２６  ケース
２７  開口
２８  ストライカ
２９  ラッチ本体
３０  圧縮バネ
３１  ロック装置
３２  カム溝
３３  ロックレバー
３４  アーム保持部
３５  連結部
３６  アーム固定ピン
３７  凹部
３８  固定用孔
３９  傾斜面
４０  スペーサ
４１  第１面板
４２  第２面板
４３  第３面板
４４  第４面板
４５  灰皿
４７  遊技機
４８  両端部
４９  コイルバネ
５０  規制部
５３  係合部
５４  第１の状態
５５  第２の状態
【図１】
0003837294.tif 000002
【図２】
0003837294.tif 000003
【図３】
0003837294.tif 000004
【図４】
0003837294.tif 000005
【図５】
0003837294.tif 000006
【図６】
0003837294.tif 000007
【図７】
0003837294.tif 000008
【図８】
0003837294.tif 000009
【図９】
0003837294.tif 000010
【図１０】
0003837294.tif 000011
【図１１】
0003837294.tif 000012
【図１２】
0003837294.tif 000013
【図１３】
0003837294.tif 000014